(57)【要約】【課題】  灰皿の交換、清掃作業の容易化を図り、遊技店又は遊技者の要望に応じて灰皿とドリンクホルダを容易に選択、交換可能な遊技機用受け皿を提供する。【解決手段】  本発明は、遊技機１の前面下部に設けられ、遊技媒体を収容する遊技機用受け皿１８において、受け皿１８には、所要の物を収容可能な第１の物受け体２７と第１の物受け体２７と用途の異なる第２の物受け体２８とを選択的に収容可能な物受け収容部２９が形成され、物受け収容部２９は、第１の物受け体２７及び第２の物受け体２８の荷重を支持可能な支持部４８と、第１の物受け体２７及び第２の物受け体２８の水平方向の移動を規制する移動規制部５１とを備え、第１の物受け体２７及び第２の物受け体２８は物受け収容部２９に対して上下方向に着脱自在に形成されていることを特徴とする。【選択図】  図１
2005058528.tif 000002
【特許請求の範囲】
【請求項１】
遊技機の前面下部に設けられ、遊技媒体を収容する遊技機用受け皿において、
所要の物を収容可能な第１の物受け体と該第１の物受け体と用途の異なる第２の物受け体とを選択的に収容可能な物受け収容部が形成され、該物受け収容部は、
前記第１の物受け体及び前記第２の物受け体の荷重を支持可能な支持部と、
前記第１の物受け体及び前記第２の物受け体の水平方向の移動を規制する移動規制部と、
を備え、前記第１の物受け体及び前記第２の物受け体は前記物受け収容部に対して上下方向に着脱自在に形成されていることを特徴とする遊技機用受け皿。
【請求項２】
前記物受け収容部は、前記第１及び前記第２の物受け体の上下方向の移動を規制する保持機構を備えている請求項１に記載の遊技機用受け皿。
【請求項３】
前記物受け収容部は、前記第１の物受け体と前記第２の物受け体の両方を同時に収容可能なように構成され、前記第１の物受け体は前記第２の物受け体に重合し、該第２の物受け体は前記第１の物受け体を取り外すことにより使用可能となるように構成されている請求項１に記載の遊技機用受け皿。
【発明の詳細な説明】
【技術分野】
【０００１】
本発明は、遊技機の前面下部に設けられ、遊技媒体を収容する遊技機用受け皿に関し、さらに詳しくは、所要の物を収容可能な物受け体を収容可能な遊技機用受け皿に関する。
【背景技術】
【０００２】
従来から、パチンコ遊技機やスロットマシン等の遊技機には、前面側下部に遊技用の球やコイン等の遊技媒体を貯留するための皿部が設けられ、その皿部の近傍には物受け体として喫煙者用の吸殻を入れる灰皿が装備されている（例えば、特許文献１参照）。そして、通常、このような灰皿は前方に回動可能に設けられており、灰皿の清掃時には、この灰皿を前方に回動させ、灰皿内の灰や吸殻等を回収するようになっている。
【０００３】
【特許文献１】特許第２７００１９９号公報
【発明の開示】
【発明が解決しようとする課題】
【０００４】
ところで、近年では、喫煙をしない遊技者が増加しており、物入れとして灰皿だけを用意するのでは、遊技者のニーズに即さなくなってきており、時代に合わせた物入れが望まれている。そこで、灰皿に変えて、例えば、現在主流となりつつある携帯電話用ホルダや、ドリンクホルダ等を設置することも考えられる。
【０００５】
しかしながら、灰皿を単に上記した物入れに変えてしまうと、灰皿を装備した従来の遊技機に慣れ親しんだ遊技店や遊技者に違和感を与えるおそれがあり、また、灰皿とドリンクホルダ等の物入れとの間の交換作業に手間が掛かるといった問題もあった。
【０００６】
また、現行の灰皿においては、遊技者が遊技中の場合に遊技者が障害となって灰皿から灰や吸殻等をスムーズに回収することが困難であり、また、灰皿の清掃時に遊技者や清掃者に吸殻等が降りかかるおそれがあるといった問題が生じていた。
【０００７】
また、近年は、煙草の害が叫ばれている中、遊技者にも禁煙者や嫌煙者が増加しているため、遊技店によっては禁煙コーナーを設けて分煙化を図っているところもあり、このような禁煙コーナーでは、遊技機に備付けの灰皿を使用させないように灰皿に蓋を取付けたり、シールを貼ったりしており、その作業に手間が掛かっていた。
【０００８】
さらに、このような禁煙コーナーを設置していない遊技店でも、上記した吸殻処理等の問題により、遊技島に灰皿を別個に設置し、遊技機に備付けの灰皿を利用できないようにしている場合もあり、遊技機に備付けの灰皿が有効に利用されていなかった。
【０００９】
本発明は、上記課題を解決すべくなされたものであり、灰皿の交換、清掃作業の容易化を図り、遊技店又は遊技者の要望に応じて灰皿、ドリンクホルダ等、用途の異なる物入れを容易に選択、交換可能な遊技機用受け皿を提供するものである。
【課題を解決するための手段】
【００１０】
本発明は、遊技機の前面下部に設けられ、遊技媒体を収容する遊技機用受け皿において、該受け皿には、所要の物を収容可能な第１の物受け体と該第１の物受け体と用途の異なる第２の物受け体とを選択的に収容可能な物受け収容部が形成され、該物受け収容部は、前記第１の物受け体及び前記第２の物受け体の荷重を支持可能な支持部と、前記第１の物受け体及び前記第２の物受け体の水平方向の移動を規制する移動規制部とを備え、前記第１の物受け体及び前記第２の物受け体は前記物受け収容部に対して上下方向に着脱自在に形成されていることを特徴とする。
【００１１】
好ましくは、前記物受け収容部は、前記第１及び前記第２の物受け体の上下方向の移動を規制する保持機構を備えている。
【００１２】
また、前記物受け収容部は、前記第１及び第２の物受け体の両方を同時に収容可能なように構成され、前記第１の物受け体は前記第２の物受け体に重合し、該第２の物受け体は前記第１の物受け体を取り外すことにより使用可能となるように構成されていてもよい。
【発明の効果】
【００１３】
本発明によれば、第１の物受け体と第２の物受け体の交換、清掃作業の容易化を図ることができ、遊技店又は遊技者の要望に応じて第１の物受け体と第２の物受け体の選択、交換を容易に行うことが可能となる等種々の優れた効果を得ることができる。
【発明を実施するための最良の形態】
【００１４】
以下、図面を参照しつつ、本発明の実施の形態について説明する。以下の説明では、本発明に係る遊技機としてパチンコ遊技機を例にとって説明する。
【００１５】
図１は第１の実施の形態に係るパチンコ遊技機１の正面図を示しており、このパチンコ遊技機１は、方形枠状の外枠２と、外枠２の前面に設けられた前枠３とを備えており、前枠３は、外枠２の正面左側上下に設けられたヒンジ金具４，５により開閉可能に設けられていると共に、外枠２の正面右側に設けられた施錠具６により閉鎖状態が保持されるようになっている。また、前枠３内には、遊技盤７が収容され、遊技盤７の前面側には、図柄表示装置８、中央飾り９、始動入賞口１０、大入賞口１１等の各種遊技部品がそれぞれ配設され、遊技領域１２が形成されている。
【００１６】
前枠３の正面側には、前枠３に対して開閉且つ着脱可能にガラス扉１３が設けられ、ガラス扉１３にはガラス板１４が二重に装填され、ガラス扉１３により遊技領域１２の前面側が閉鎖された状態で保持されるようになっている。前枠３のガラス扉１３の下方には、上球受け皿１５が前方に突出して設けられ、上球受け皿１５には払い出された遊技球を貯留して整列させる上皿部１６と、上皿部１６内の遊技球を後述する下皿部２５に排出させるための球抜きレバー１７とが設けられている。前枠３の上球受け皿１５の下方には、下球受け皿１８が前方に突出して設けられ、下球受け皿１８の正面右側には発射ハンドル１９が前方に突出して設けられている。そして、発射ハンドル１９を時計回り方向に回動すると、上皿部１６から供給された遊技球が遊技領域１２に送出されるようになっている。また、パチンコ遊技機１の上方には、呼び出し釦２０が設けられ、呼び出し釦２０を押すと、呼び出しランプ２１が点灯し、店員に対して報知可能となっている。なお、呼び出し釦２０は、図１中、符号６５で図示するように、パチンコ遊技機の所定位置に設け、釦操作により報知可能に形成してもよい。
【００１７】
次に、図１〜図９を参照しつつ、下球受け皿１８について説明する。
【００１８】
下球受け皿１８は、受け皿外装体２４と、遊技球を貯留可能な下皿部２５を備えた受け皿本体２６とから構成されている。下皿部２５の正面左側の受け皿外装体２４には、灰皿２７及びドリンクホルダ２８が着脱可能な物受け収容部２９が形成され、この物受け収容部２９は灰皿２７とドリンクホルダ２８のいずれか一方のみを収容可能なように構成されている。また、下皿部２５と物受け収容部２９との間には区画壁３０が受け皿外装体２４と一体に形成され、区画壁３０は物受け収容部２９に装着された灰皿２７の頂部より高く形成されている。これにより、灰皿２７から下皿部２５に灰が飛散するのを防止できると共に、下皿部２５と灰皿２７との間の遊技球の往来を抑制することができる。このため、例えば、遊技者が下皿部２５に貯留された遊技球を上皿部１６に持ち上げようとして下皿部２５から遊技球が溢れ出ても、溢れ出た遊技球が区画壁３２に阻止されて灰皿２７側に転落することがなく、また、灰皿２７側の煙草の灰が溢れて下皿部２５に混入し、遊技球が灰まみれになることもない。従って、遊技球を介して遊技機内部に運び込まれる灰の量を削減して２次的トラブルの発生を抑制することができる。また、区画壁３０は一定の幅を有し、前方に下傾して形成されているため、万が一、遊技球が区画壁３０の上面に乗ったとしても、その遊技球は前方に導かれて灰皿２７側に転落しにくい構成になっている。
【００１９】
灰皿２７の上面には、後側から吸殻受け部３１、煙草揉消し部３２がそれぞれ凹状に形成され、吸殻受け部３１は煙草揉消し部３２より深くなっている。吸殻受け部３１及び煙草揉消し部３２の周縁部３３は鍔状に延出し、周縁部３３の前側中央部分にはＵ型溝状の煙草支持部３４が形成され、周縁部３３の両側及び後側には周壁３５が立設されている。また、周縁部３３の下面には、対角を成す位置、例えば、図２では左後側と右前側に、それぞれ係合部３６が下方に突設され、係合部３６はテーパピン状に形成されている。さらに、煙草揉消し部３２の下面には、鰭状の灰皿突起３７が下側斜め前方に突出して設けられ、灰皿突起３７の突出長は、その下端面が吸殻受け部３１の下面と同一平面上に位置するように設定されている。このため、灰皿２７を平坦なテーブル面等に載置した時に、灰皿突起３７が支持脚として機能し、灰皿２７が前後に傾いたりぐらついたりすることなく、安定姿勢で支持されるようになっている。
【００２０】
ドリンクホルダ２８には、円盤状の底部３８と、底部３８の外周部の所要箇所（図示では３箇所）に立設された側壁部３９とにより飲料用容器収容部４０が形成されている。そして、底部３８には中央部の丸穴４１の周囲に放射状に３個のスリット孔４２が形成され、丸穴４１及びスリット孔４２を介して飲料用収容部４０内の洗浄時に出る洗浄排水等を容易に排出できるようになっている。また、飲料用収容部４０の上端部には周縁部４３が鍔状に形成され、周縁部４３の上面には両側及び後側に周壁４４が立設され、また、周縁部４３の下面には、灰皿２７と同様に、対角を成す位置にそれぞれ係合部４５が下方に突設され、係合部４５はテーパピン状に形成されている。
【００２１】
物受け収容部２９の底部４６には、ドリンクホルダ２８の飲料用容器収容部４０が遊嵌可能な開口部４７が形成されている。そして、開口部４７の周囲の底部４６には、柱状の複数（図示では後側に２個、前側に１個の合計３個）の物受け支持部４８が立設され、物受け支持部４８は物受け収容部２９を臨む受け皿外装体２４の両側面４９，５０に支持され、灰皿２７とドリンクホルダ２８の荷重を支持可能に形成されている。さらに、対角を成す位置にある２個の物受け支持部４８には係合孔５１が形成され、灰皿２７の係合部３６及びドリンクホルダ２８の係合部４５は、それぞれテーパピン状に形成されているため、圧入形態で係合穴５１に嵌め込まれるようになっている。このように、灰皿２７及びドリンクホルダ２８は物受け収容部２９に対して上下方向に着脱自在となっており、また、係合孔５１に係合部３６，５１が圧入形態で嵌め込まれることにより、灰皿２７又はドリンクホルダ２８の水平方向の移動が規制されると共に、上下方向の移動が規制されるようになっている。また、底部４６の前側中央部には指掛け用切欠部５２が形成され、指掛け用切欠部５２と区画壁３０の間には仕切り壁５３によりコイン置き場５４が形成され、コイン置き場５４には、図１２に示すように、コイン６４が収容可能となっている。さらに、底部の後側中央部には位置決め突起部５５が立設されている。
【００２２】
受け皿本体２６には、物受け収容部２９を臨む鉛直面５６に、上方から飲料用容器支持部５７、位置決め溝部５８がそれぞれ前方に突出して形成されている。飲料用容器支持部５７には、平面視においてドリンクホルダ２８の底部３８の円弧に一致するように飲料用容器当接部５９が曲成され、飲料用容器当接部５９は飲料用容器収納部４０に収容された飲料用容器６０の側面を後方から支持可能となっている。位置決め溝部５８は物受け収容部２９の位置決め突起部５５が係合可能なように形成され、位置決め突起部５５が位置決め溝部５８に係合することにより、受け皿外装体２４が受け皿本体２６に対して位置決めされるようになっている。また、受け皿本体２６の後面には、所要数の各種組付けスリーブ６１が突設され、これらの組付けスリーブ６１により受け皿本体２６が前枠３に組付けられるようになっている。さらに、図１に示されているように、受け皿本体２６の下皿部２５には下皿球抜きレバー６２が設けられ、下皿部２５が遊技球で満杯となった場合、下皿球抜きレバー６２を操作すると、下皿部２５の底面が開口し、下皿部２５内の遊技球を下方の別箱６３に排出できるようになっている。
【００２３】
次に、物受け収容部２９に対する灰皿２７及びドリンクホルダ２８の着脱方法について説明する。
【００２４】
物受け収容部２９に灰皿２７を装着する場合、図４〜図６に良く示されているように、灰皿２７の周縁部３３を各物受け支持部４８に載置し、灰皿２７の係合部３６を物受け支持部４８の係合孔５１に嵌め込む。灰皿２７の周縁部３３には物受け収容部２９を臨む両側面４９，５０及び鉛直面５６に沿うように周壁３５が形成されているため、物受け収容部２９に対する灰皿２７の装着作業は円滑且つ容易に行うことができる。また、灰皿２７は対角位置で物受け支持部４８に圧入形態で嵌め込まれているため、水平方向及び上下方向の移動が規制され、安定性良く物受け収容部２９に収容される。
【００２５】
また、灰皿２７を物受け収容部２９から取り外す場合、指を指掛け用切欠部５２を通して灰皿突起３７に掛け、灰皿２７の前端部を持ち上げる。そうすると、灰皿２７の係合部３６と物受け支持部４８の係合孔５１との係合状態が解除されるので、灰皿２７の交換を
容易に行うことができる。
【００２６】
一方、物受け収容部２９にドリンクホルダ２８を装着する場合、図７〜図９に良く示されているように、物受け収容部２９から灰皿２７を取り外した状態で、ドリンクホルダ２８の周縁部４３を各物受け支持部４８に載置し、ドリンクホルダ２８の係合部４５を物受け支持部４８の係合孔５１に嵌め込む。ドリンクホルダ２８の周縁部４３には物受け収容部２９を臨む両側面４９，５０及び鉛直面５６に沿うように周壁４４が形成されているため、物受け収容部２９に対するドリンクホルダ２８の装着作業も、灰皿２７の場合と同様に、円滑且つ容易に行うことができる。また、ドリンクホルダ２８も対角位置で物受け支持部４８に圧入形態で嵌め込まれているため、水平方向及び上下方向の移動が規制され、安定性良く物受け収容部２９に収容される。そして、この状態において、ドリンクホルダ２８の飲料用容器収容部４０内に飲料用容器６０を収容させると、飲料用容器６０はドリンクホルダ２８の底部４６に載置され、飲料用容器６０の側面はドリンクホルダ２８の各側壁部３９により支持されると共に、受け皿本体２６の飲料用容器当接部５９により支持されるため、飲料用容器６０は飲料用容器収容部４０内に安定性良く保持される。また、例え、飲料用容器収容部４０内に飲料水等をこぼしたとしても、ドリンクホルダ２８の底部４６に丸穴４１及びスリット孔４２が設けられているため、水洗いが可能となり、飲料用容器収容部４０内を清潔に保つことができると共に、清掃作業の簡素化、効率化を図ることができる。
【００２７】
また、ドリンクホルダ２８を物受け収容部２９から取り外す場合、指をドリンクホルダ２８の底部３８の前部下側に掛け、ドリンクホルダ２８の前端部を持ち上げる。そうすると、ドリンクホルダ２８の係合部４５と物受け支持部４８の係合孔５１との係合状態が解除されるので、ドリンクホルダ２８の交換を容易に行うことができる。
【００２８】
次に、図１及び図１０〜図１２を参照しつつ、本発明の第２の実施の形態について説明する。本実施の形態は、物受け収容部２９の物受け支持部４８に対してドリンクホルダ２８と灰皿２７とを重合させた状態で収容可能なように構成されている点が上記した第１の実施の形態の場合と異なる。なお、説明の簡略化のため、上記した第１の実施の形態と同様の構成については、図１０〜図１２において、図１〜図９中の符号と同一の符号を付し、その詳細な説明は省略する。
【００２９】
灰皿２７には、上面中央部に円形の吸殻受け部７１が凹状に形成され、吸殻受け部７１はドリンクホルダ２８の飲料用容器収容部４０に嵌合可能となっている。そして、灰皿２７の周縁部３３の前側部分７２は大きく前方に延出して形成され、前側部分７２の中央部にはＵ型溝状の煙草支持部３４が形成されている。また、周縁部３３の両側に立設された周壁３５の上端部７３は外側に水平に延出し、灰皿２７の各周壁３５はドリンクホルダ２８の周壁４４内に嵌合可能となっている。さらに、周縁部３３の下面には、対角を成す位置にそれぞれ円柱形状の係合部７４が下方に突設されている。
【００３０】
ドリンクホルダ２８の周縁部４３の下面には、対角を成す位置にそれぞれ係合部７５が下方に突設されている。係合部７５は円筒形状を成し、中央に収容孔７６が穿設され、収容孔７６に灰皿２７の係合部７４が貫設可能となっている。また、ドリンクホルダ２８の底部３８には、複数（図１０では９個）の丸穴４１が形成され、丸穴４１を介して飲料用収容部４０内の洗浄時に出る洗浄排水等を容易に排出できるようになっている。
【００３１】
物受け収容部２９には、柱状の複数（図示では後側に２個、前側に１個の合計３個）の物受け支持部７７が立設され、物受け支持部７７は灰皿２７とドリンクホルダ２８の荷重を支持可能に形成されている。物受け支持部７７の上端部は縮径され、係合突部７８が形成されており、この係合突部７８にドリンクホルダ２８の係合部７５が嵌着可能となっている。また、対角を成す位置にある２個の物受け支持部７７には係合孔７９が形成され、各係合孔７９にはドリンクホルダ２８の収容孔７６が合致すると共に灰皿２７の係合部７４が嵌着可能となっている。このように、灰皿２７及びドリンクホルダ２８は物受け収容部２９に対して上下方向に着脱自在となっており、また、係合突部７８にドリンクホルダ２８の係合部７５が嵌着することによりドリンクホルダ２８の水平方向の移動が規制され、係合孔７９及び収容孔７６に灰皿２７の係合部７４が嵌着することにより、灰皿２７の水平方向の移動が規制されるようになっている。
【００３２】
次に、物受け収容部２９に対する灰皿２７及びドリンクホルダ２８の着脱方法について説明する。
【００３３】
物受け収容部２９にドリンクホルダ２８を装着する場合、ドリンクホルダ２８の周縁部４３を各物受け支持部７７に載置し、ドリンクホルダ２８の係合部７５を物受け支持部７７の係合突部７８に嵌着する。ドリンクホルダ２８の周縁部４３には物受け収容部２９を臨む両側面４９，５０及び鉛直面５６に沿うように周壁４４が形成されているため、物受け収容部２９に対するドリンクホルダ２８の装着作業は、円滑且つ容易に行うことができる。また、ドリンクホルダ２８は対角位置で物受け支持部７７の係合突部７８に嵌着しているため、水平方向の移動が規制され、安定性良く物受け収容部２９に収容される。そして、この状態において、ドリンクホルダ２８の飲料用容器収容部４０内に飲料用容器６０を収容させると、飲料用容器６０はドリンクホルダ２８の底部４６に載置され、飲料用容器６０の側面はドリンクホルダ２８の各側壁部３９により支持されるため、飲料用容器６０は飲料用容器収容部４０内に安定性良く保持される。また、例え、飲料用容器収容部４０内に飲料水等をこぼしたとしても、ドリンクホルダ２８の底部４６に丸穴４１が設けられているため、水洗いが可能となり、飲料用容器収容部４０内を清潔に保つことができると共に、清掃作業の簡素化、効率化を図ることができる。
【００３４】
物受け収容部２９に灰皿２７を装着する場合には、上記したように物受け支持部７７にドリンクホルダ２８を支持させ、ドリンクホルダ２８内から飲料用容器６０を取り除いた状態で行う。灰皿２７の吸殻受け部７１をドリンクホルダ２８の飲料用容器収容部４０に嵌設させ、周縁部３３をドリンクホルダ２８の周縁部４３上に載置する。灰皿２７の係合部７４がドリンクホルダ２８の収容孔７６に貫設すると共に物受け支持部７７の係合孔７９に嵌着する。また、灰皿２７の周壁３５はドリンクホルダ２８の周壁４４に嵌合し、図１１に良く示されているように、両側の周壁３５の上端部７３はドリンクホルダ２８の周壁４４の上端に掛止し、灰皿２７はドリンクホルダ２８上に重合する。このように、灰皿２７は対角位置でドリンクホルダ２８の収容孔７６及び物受け支持部７７の係合孔７９に嵌着していると共にドリンクホルダ２８の周壁４４に嵌合しているため、水平方向の移動
が規制され、リンクホルダ２８を介して物受け支持部７７に安定性良く支持され、物受け収容部２９に確実に収容される。
【００３５】
また、灰皿２７を物受け収容部２９から取り外す場合、指を周縁部３３の前側部分７２の下面に掛け、灰皿２７の前端部を持ち上げる。そうすると、灰皿２７の係合部７４とドリンクホルダ２８の収容孔７６及び物受け支持部７７の係合孔７９との係合状態が解除されるので、灰皿２７の交換を容易に行うことができる。
【００３６】
さらに、この状態から、ドリンクホルダ２８を取り外す場合、指をドリンクホルダ２８の底部３８の前部下側に掛け、ドリンクホルダ２８の前端部を持ち上げる。そうすると、ドリンクホルダ２８の係合部７５と物受け支持部７７の係合孔７９との係合状態が解除されるので、ドリンクホルダ２８の交換を容易に行うことができる。
【００３７】
以上説明したように、上記した第１の実施の形態に係る遊技機によれば、物受け収容部２９に灰皿２７の代わりにドリンクホルダ２８を収容し、灰皿２７を使用不能としたり、或いはドリンクホルダ２８の代わりに灰皿２７を収容し、灰皿２７を使用可能としたりすることを、柔軟且つ容易且つ円滑に行うことができる。また、上記した第２の実施の形態に係る遊技機においても、物受け収容部２９にドリンクホルダ２８だけを収容し、灰皿２７を使用不能としたり、或いはドリンクホルダ２８の上に灰皿２７を重合し、灰皿２７を使用可能にしたりすることを、柔軟且つ容易且つ円滑に行うことができる。このように、上記したいずれの実施の形態においても、遊技者の遊技中に、灰皿２７を回収し、清掃後に再度装着させる場合、或いは、灰皿２７を予め取り外しておいて遊技者から呼び出し釦２０等により要求のあった場合に灰皿２７を装着させたり、又はその反対に灰皿２７を予め装着させておいて遊技者から呼び出し釦２０等により要求があった場合に灰皿２７を取り外したりする場合でも、灰皿２７の着脱作業を容易且つ円滑に行うことができるため作業効率の向上が図れ、灰皿２７の着脱作業時に遊技者に迷惑を掛けたり、不愉快な思いをさせることがなく、遊技者は遊技に集中することができる。また、灰皿２７は下皿部２５の正面左側に設けられているため、遊技施設の係員は遊技者の遊技を妨げることなく灰皿２７を回収し、遊技者の後方で吸殻をバケツ等に回収することができる。したがって、従来の回動形態の灰皿のように、回収操作を誤って吸殻や灰を周囲に撒き散らしてしまうようなことがなく、さらに灰皿２７を着脱する時の灰皿２７の傾き角が小さいため、収容された吸殻が灰皿２７の後方にこぼれ落ちる心配もない。また、日常の点検や盤面交換等において、灰皿２７の汚れがひどいような場合には灰皿２７を取り外して丸洗い洗浄をすることができ、損傷を受けているような場合には専門の営業者を呼ぶまでもなく営業時間中に灰皿２７を簡単に交換することができる。したがって、このような灰皿構造を備えることにより、遊技者及び遊技施設の双方にとって取り扱いが容易で快適な遊技環境を提供することができる。また、遊技店が禁煙コーナーを設けて分煙化を図る場合にも、灰皿２７を容易に交換することができ、灰皿に蓋を取付けたり、シールを貼ったりする手間を掛ける必要がない。さらに、ドリンクホルダ２８として使用する場合には、飲料用容器６０を安定性良く支持することができ、また、ドリンクホルダ２８の交換作業も容易且つ円滑に行うことができる。したがって、遊技店や遊技者のいろいろな要求に柔軟且つ容易且つ円滑に対応することができ、灰皿の清掃、交換等に要する人件費の低減化、遊技者に対するサービスの向上等を図ることができる。
【００３８】
なお、上記した第１及び第２の実施の形態においては、パチンコ遊技機１について説明したが、これは単なる例示であり、本発明は、例えば、スロットマシン等の他の遊技機にも適用可能である。
【００３９】
また、灰皿２７及びドリンクホルダ２８は、予備用にもう１個ずつ用意しておき、灰皿２７やドリンクホルダ２８が汚れたり、破損したりした場合に、予備のものと交換するようにしてもよい。この場合には、遊技中の遊技機であっても灰皿２７やドリンクホルダ２８の交換作業をなお一層迅速且つ円滑に行うことができ、上記した効果をさらに高めることができる。
【００４０】
さらに、上記した物受け支持部４８，７７の形状、構造、設置数等は単なる例示であり、これらに限定する趣旨ではなく、例えば、後側の物受け支持部４８，７７同士を一体に形成させたり、全ての物受け支持部４８，７７に係合孔５１，７９を設ける等、各種変更が可能である。
【００４１】
さらにまた、物受け収容部２９は、上記した灰皿２７やドリンクホルダ２８に限らず、携帯電話ホルダ等、用途の異なる２種類の第１の物受け体と第２の物受け体が選択的に収容可能なように形成されていてもよい。
【図面の簡単な説明】
【００４２】
【図１】本発明の第１の実施の形態に係る遊技機を示す正面図である。
【図２】本発明の第１の実施の形態における物受け収容部から灰皿及びドリンクホルダを取り外した状態を示す平面図である。
【図３】本発明の第１の実施の形態における物受け収容部に灰皿又はドリンクホルダを装着する方法を示す正面図である。
【図４】本発明の第１の実施の形態における物受け収容部に灰皿を装着した状態を示す平面図である。
【図５】本発明の第１の実施の形態における物受け収容部に灰皿を装着した状態を示す正面図である。
【図６】本発明の第１の実施の形態における物受け収容部に灰皿を装着した状態を示す断面図である。
【図７】本発明の第１の実施の形態における物受け収容部にドリンクホルダを収容した状態を示す平面図である。
【図８】本発明の第１の実施の形態における物受け収容部にドリンクホルダを収容した状態を示す正面図である。
【図９】本発明の第１の実施の形態における物受け収容部にドリンクホルダを収容した状態を示す断面図である。
【図１０】本発明の第２の実施の形態における物受け収容部から灰皿及びドリンクホルダを取り外した状態を示す平面図である。
【図１１】本発明の第２の実施の形態における物受け収容部に灰皿及びドリンクホルダを装着した状態を示す正面図である。
【図１２】本発明の第２の実施の形態における物受け収容部に灰皿を装着する方法を示す断面図である。
【符号の説明】
【００４３】
１          パチンコ遊技機
１８        下球受け皿
２７        灰皿
２８        ドリンクホルダ
２９        物受け収容部
３６        係合部
４５        係合部
４８        物受け支持部
５１        係合孔
７７        物受け支持部
７９        係合孔
【図１】
2005058528.tif 000003
【図２】
2005058528.tif 000004
【図３】
2005058528.tif 000005
【図４】
2005058528.tif 000006
【図５】
2005058528.tif 000007
【図６】
2005058528.tif 000008
【図７】
2005058528.tif 000009
【図８】
2005058528.tif 000010
【図９】
2005058528.tif 000011
【図１０】
2005058528.tif 000012
【図１１】
2005058528.tif 000013
【図１２】
2005058528.tif 000014